(57)【要約】【課題】データ放送番組のトランスポートストリームを切り替えて放送する場合に、切り替えタイミングに差があってもチラ見えを最小限に抑えることができるとともに、放送波を送出する送出設備の系統間でデータイベントＩＤが異なる値になるのを防止することができるデータ放送システム及びデータ放送方法を提供する。【解決手段】ローカル局２００は、ネットデータ放送番組ＴＳＡ−１とローカルデータ放送番組ＴＳＢ−１の切り替えタイミングの前後にデータイベントＩＤの監視期間を有し、その監視期間内においてデータイベントＩＤの変化を検出した場合にはデータイベントＩＤを同一の値に付け替えるとともに、その監視期間内に空カルーセルが存在した場合にはその空カルーセルを削除又はＮＵＬＬパケットに置き換える。これにより、チラ見えを最小限に抑えることが可能となり、また系統間でのデータイベントＩＤの整合をとることが可能となる。【選択図】図１
2006333251.tif 000002
【特許請求の範囲】
【請求項１】
他の放送局から配信されるデータ放送番組のトランスポートストリームを受信する受信手段と、
前記受信手段にて受信された前記他の放送局からのトランスポートストリームと自局独自のデータ放送番組のトランスポートストリームとを切り替える切替手段と、
前記切替手段の切り替え動作により選択されたトランスポートストリームを放送波に変換して送信する送信手段と、
を備え、
前記切替手段は、前記自局における番組切り替えタイミングの前後にデータイベントＩＤの監視期間を設定し、その監視期間内において前記データイベントＩＤの変化を検出すると該データイベントＩＤを変化前の値のまま保持し続け、またその監視期間内において空カルーセルを検出するとその空カルーセルをヌルパケットに置き換える放送局。
【請求項２】
第２の放送局としての請求項１に記載の放送局と、
前記第２の放送局にキー局データ放送番組のトランスポートストリームを配信する第１の放送局と、
を備えたデータ放送システム。
【請求項３】
第１の放送局から配信されるデータ放送番組のトランスポートストリームを第２の放送局が受信することで、前記第２の放送局独自のデータ放送番組のトランスポートストリームと切り替えて放送を行い、トランスポートストリームの切り替え時に、前記第２の放送局における番組切り替えタイミングの前後にデータイベントＩＤの監視期間を設定し、その監視期間内において前記データイベントＩＤの変化を検出した場合には該データイベントＩＤを変化前の値のまま保持し続け、またその監視期間内において空カルーセルが存在した場合にはその空カルーセルをヌルパケットに置き換えるデータ放送方法。
【発明の詳細な説明】
【技術分野】
【０００１】
本発明は、データ放送番組の切れ目を検出することで、シームレスに番組の切り替えが可能なデータ放送システム及びデータ放送方法に関する。
【背景技術】
【０００２】
従来、例えば２つの放送局の一方が、他方の放送局からネット配信されたキー局データ放送番組のトランスポートストリーム（以下、ＴＳと呼ぶ）と自局ローカルのデータ放送番組のＴＳを切り替えて放送する運用を実現するものとして、あるＴＳ入力について切り替えタイミングで明示的にセクションの切れ目を示すパケットを送出した後、他のＴＳのセクションの切れ目から送出を開始するとともに、データイベントＩＤが連続してしまわないように、データイベントＩＤを付け替える方法が提案されている（例えば、特許文献１参照）。
【０００３】
【特許文献１】特開２００３−２０４４８２号公報
【発明の開示】
【発明が解決しようとする課題】
【０００４】
しかしながら、従来のデータ放送方法においては、他の放送局からネット配信されたキー局データ放送番組のＴＳと自局ローカルのデータ放送番組のＴＳを切り替えて放送する運用を実施した場合、それぞれのＴＳに含まれる番組の切り替えタイミングが少しでもずれると、１つ前の番組の末尾が一瞬だけ放送されてしまう所謂チラ見えが発生するという問題がある。
【０００５】
また、通常放送局においては放送の信頼性を上げるために複数系統の送出設備を備えており、放送ではそのうちの１つを切り替えて使用することが多いが、各系統の送出設備は、コンテンツという観点では同一内容のデータが送出されるものの、微小な時間単位では全く同一のタイミングでセクションが送出されている訳ではなく、夫々の系統でセクションの切り替えタイミングが異なる。このため、データ放送番組の切り替えタイミングを表すデータイベントＩＤの変更点も夫々の系で同一時刻にはならず、データ放送番組のＴＳを切り替えて放送する場合に各系統でデータイベントＩＤが異なってしまうことがあるという問題もある。
【０００６】
本発明は、係る事情に鑑みてなされたものであり、データ放送番組のＴＳを切り替えて放送する場合に、切り替えタイミングに差があってもチラ見えを最小限に抑えることができるとともに、放送波を送出する送出設備の系統間でデータイベントＩＤが異なる値になるのを防止することができるデータ放送システム及びデータ放送方法を提供することを目的とする。
【課題を解決するための手段】
【０００７】
上記目的は下記構成及び方法により達成される。
（１）  データ放送番組のトランスポートストリームを放送する放送局において、他の放送局から配信されるデータ放送番組のトランスポートストリームを受信する受信手段と、前記受信手段にて受信された前記他の放送局からのトランスポートストリームと自局独自のデータ放送番組のトランスポートストリームとを切り替える切替手段と、前記切替手段の切り替え動作により選択されたトランスポートストリームを放送波に変換して送信する送信手段とを備え、前記切替手段は、前記自局における番組切り替えタイミングの前後にデータイベントＩＤの監視期間を設定し、その監視期間内において前記データイベントＩＤの変化を検出すると該データイベントＩＤを変化前の値のまま保持し続け、またその監視期間内において空カルーセルを検出するとその空カルーセルをヌルパケットに置き換える。
【０００８】
（２）  データ放送システムにおいて、第２の放送局としての上記（１）に記載の放送局と、前記第２の放送局にキー局データ放送番組のトランスポートストリームを配信する第１の放送局と、を備えている。
【０００９】
（３）  データ放送番組のトランスポートストリームを放送する放送局におけるデータ放送方法において、第１の放送局から配信されるデータ放送番組のトランスポートストリームを第２の放送局が受信することで、前記第２の放送局独自のデータ放送番組のトランスポートストリームと切り替えて放送を行い、トランスポートストリームの切り替え時に、前記第２の放送局における番組切り替えタイミングの前後にデータイベントＩＤの監視期間を設定し、その監視期間内において前記データイベントＩＤの変化を検出した場合には該データイベントＩＤを変化前の値のまま保持し続け、またその監視期間内において空カルーセルが存在した場合にはその空カルーセルをヌルパケットに置き換える。
【発明の効果】
【００１０】
上記（１）に記載の放送局では、他の放送局から配信されたトランスポートストリームに対し、切り替えタイミングの前後にデータイベントＩＤの監視期間を設定し、その監視期間内においてデータイベントＩＤの変化を検出した場合にはデータイベントＩＤを変化前の値即ち変化前と同一の値に付け替え、またその監視期間内において空カルーセルが存在した場合にはその空カルーセルをヌルパケットに置き換えるので、データ放送番組のトランスポートストリームを切り替えて放送する場合に、切り替えタイミングに差があってもチラ見えを最小限に抑えることが可能となり、また放送波を送出する送出設備の系統間でデータイベントＩＤが異なる値になるのを防止することが可能となる。
【００１１】
上記（２）に記載のデータ放送システムでは、上記（１）に記載の放送局を備えるので、データ放送番組のＴＳを切り替えて放送する場合に、切り替えタイミングに差があってもチラ見えを最小限に抑えることが可能となり、また放送波を送出する送出設備の系統間でデータイベントＩＤが異なる値になるのを防止することが可能となる。
【００１２】
上記（３）に記載のデータ放送方法では、第２の放送局が、第１の放送局から配信されたトランスポートストリームに対し、切り替えタイミングの前後にデータイベントＩＤの監視期間を設定し、その監視期間内においてデータイベントＩＤの変化を検出した場合にはデータイベントＩＤを変化前の値即ち変化前と同一の値に付け替え、またその監視期間内において空カルーセルが存在した場合にはその空カルーセルをヌルパケットに置き換えるので、データ放送番組のトランスポートストリームを切り替えて放送する場合に、切り替えタイミングに差があってもチラ見えを最小限に抑えることが可能となり、また放送波を送出する送出設備の系統間でデータイベントＩＤが異なる値になるのを防止することが可能となる。
【発明を実施するための最良の形態】
【００１３】
以下、本発明を実施するための好適な実施の形態について、図面を参照して詳細に説明する。
【００１４】
図１は、本発明の一実施の形態に係るデータ放送システムの概略構成を示すブロック図である。この図において、本実施の形態のデータ放送システム１０は、キー局である第１の放送局（以下、キー局と呼ぶ）１００と、その他の局（各地方に所在するローカル放送局）である第２の放送局（以下、ローカル局と呼ぶ）２００とを備え、これらの局間でデータ放送の連携サービスが行われる。以下、キー局１００、ローカル局２００の順でそれぞれについて説明する。
【００１５】
（キー局１００）
図１に示すように、キー局１００は、データ放送製作設備１０１と、データ放送送出設備１０２と、放送波送出設備１０３と、放送アンテナ１０４とを備えている。データ放送制作設備１０１は、データ放送番組コンテンツＣｏｎｔＡを出力する。データ放送番組コンテンツとは、１つのデータ放送サービスの番組を作る上で必要な全てのデータ放送番組部品の集まりであり、番組内のデータの更新時間や更新内容も定義されている。データ放送送出設備１０２は、データ放送制作設備１０１からのデータ放送コンテンツＣｏｎｔＡをＭＰＥＧ（Moving Picture Expert Group）−２トランスポートストリーム（以下、ＴＳと略す）に変換し、データ放送番組ＴＳＡとして出力する。
【００１６】
放送波送出設備１０３は、データ放送送出設備１０２からのデータ放送番組ＴＳＡを放送電波に変換して放送アンテナ１０４から視聴者宅１１０へ向けて送信する。この場合、図１では視聴者宅１１０を一戸のみ示しているが、実際は複数戸あり、その他は図示を省略する。視聴者宅１１０には受信アンテナ１１１とテレビ受信機１１２があり、テレビ受信機１１２が受信アンテナ１１１を通じてキー局１００から送信された放送電波を受信し放送を映し出す。実際の放送では映像情報及び音声情報についてもデータ放送送出装置１０２によりＭＰＥＧ−２トランスポートストリームに変換されてデータ放送番組ＴＳＡに重畳されて出力されるが、ここではその説明を省略する。
【００１７】
（ローカル局２００）
図１に示すように、ローカル局２００は、データ放送製作設備２０１と、データ放送送出設備２０２及び２２２と、分配器３０１と、データ放送連携設備２０３及び２２３と、切替装置２０４と、放送波送出設備２０５と、放送アンテナ２０６とを備えている。データ放送製作設備２０１は、データ放送番組コンテンツＣｏｎｔＢ−１及びＣｏｎｔＢ−２を出力する。なお、本実施の形態では、データ放送製作設備２０１からの出力を２系統としたが、それは放送局から放送を送出するにあたり確実な送出を確保するという点で高度な信頼性を実現するため、機器を複数系統用意し冗長性を持たせるためである。データ放送送出設備２０２は、データ放送製作設備２０１から入力されるデータ放送番組コンテンツＣｏｎｔＢ−１をＴＳに変換し、ローカルデータ放送番組ＴＳＢ−１としてデータ放送連携設備２０３に入力する。なお、上記データ放送連携設備２０３及び２２３は、それぞれ受信手段と切替手段に対応する。また、上記放送波送出設備２０５は送信手段に対応する。
【００１８】
ここで、キー局１００は、データ放送番組ＴＳＡをネットワーク回線１５６経由でローカル局２００に配信するようにしており、そのデータ放送番組ＴＳＡはローカル局２００の分配器３０１にて複数に分配されて、ネットデータ放送番組ＴＳＡ−１及びネットデータ放送番組ＴＳＡ−２として、ネットデータ放送番組ＴＳＡ−１がデータ放送連携設備２０３に、ネットデータ放送番組ＴＳＡ−２がデータ放送連携設備２２３にそれぞれ入力される。データ放送連携設備２０３は、キー局１００のデータ放送送出設備１０２から出力されたデータ放送番組ＴＳＡを分配したネットデータ放送番組ＴＳＡ−１とローカル局２００のデータ放送送出設備２０２より出力されたローカルデータ放送番組ＴＳＢ−１とを択一的に切り替えて、データ放送番組となるローカルデータ放送番組ＴＳＣ−１を出力する。同様に、データ放送連携設備２２３は、キー局１００のデータ放送送出設備１０２から出力されたデータ放送番組ＴＳＡを分配したネットデータ放送番組ＴＳＡ−２とローカル局２００のデータ放送送出設備２２２より出力されたローカルデータ放送番組ＴＳＢ−２とを択一的に切り替えて、データ放送番組となるローカルデータ放送番組ＴＳＣ−２を出力する。
【００１９】
上述したように、ローカル局２００は、各機器を複数系統用意して信頼性の向上を図っており、通常いずれか一方の系統を用いることになる。このため、ローカルデータ放送番組ＴＳＣ−１とローカルデータ放送番組ＴＳＣ−２を切替装置２０４に入力して、いずれか一方の系統のローカルデータ放送番組を選択してそれをローカルデータ放送番組ＴＳＤとして出力する。放送波送出設備２０５は、切替装置２０４から出力されたローカルデータ放送番組ＴＳＤを放送電波に変換して放送アンテナ２０６から視聴者宅２１０へ向けて送信する。この場合、図１では視聴者宅２１０を一戸のみ示しているが、実際は複数戸あり、その他は図示を省略する。視聴者宅２１０には受信アンテナ２１１とテレビ受信機２１２があり、テレビ受信機２１２は受信アンテナ２１１を通じてローカル局２００から送信された放送電波を受信し放送を映し出す。
【００２０】
ここで、データ放送サービスにおけるローカル局の番組連携の方法について簡単に説明する。図２及び図３は、放送局から出力される番組の構成を表したものであり、図２はキー局１００から放送される番組構成、図３はローカル局２００から放送される番組構成を表している。これらは図中の太線で示されているエレメンタリストリーム（以後、ＥＳと略す）と呼ばれる符号化済みの映像や音声、データのパケット列により構成されている。
【００２１】
図２において、映像ＥＳ３０１は映像放送を伝送するＥＳであり、音声ＥＳ３０２は音声放送を伝送するＥＳである。データカルーセルＥＳ３０３は、データ放送を伝送するためのＥＳであって、図１におけるデータ放送番組ＴＳＡの内容を表しており、データ放送サービスに使用するコンテンツを伝送するためのものである。ここで、映像ＥＳ３０１と音声ＥＳ３０２とデータカルーセルＥＳ３０３が時刻ｔ０から時刻ｔ３にかけて流れているとする。番組期間Ａにおいては、時刻ｔ０から時刻ｔ１の間、番組映像Ａ、番組音声Ａ及び番組データＡが送出され、同様に番組期間Ｂにおいては、時刻ｔ１から時刻ｔ２の間、番組映像Ｂ、番組音声Ｂ及び番組データＢが送出され、さらに番組期間Ｃにおいては、時刻ｔ２から時刻ｔ３の間、番組映像Ｃ、番組音声Ｃ及び番組データＣが送出される。この際、実際のテレビ受信機側の動作を説明すると、時刻ｔ０から時刻ｔ１までは番組Ａの映像音声とその番組に関するデータがテレビ受信機に表示される。その後、時刻ｔ１のタイミングで番組Ｂに切り替わり、さらに時刻ｔ２のタイミングで番組Ｃに切り替わることになる。
【００２２】
ローカル局２００においては、キー局１００からネットワーク回線１５６を通じて送られたデータ放送番組ＴＳＡを分配したネットデータ放送番組ＴＳＡ−１と、ローカル局２００のデータ放送送出設備２０２より出力されたローカルデータ放送番組ＴＳＢ−１を時刻とともに切り替え、ローカル局独自の番組として出力する。
【００２３】
図３において、映像ＥＳ４０１、音声ＥＳ４０２はキー局１００と同様の目的のものである。データカルーセルＥＳ４０３は、図１におけるローカルデータ放送番組ＴＳＤの内容を表しており、データ放送サービスに使用するコンテンツを伝送するためのものである。ローカル局２００において、映像ＥＳ４０１と音声ＥＳ４０２とデータカルーセルＥＳ４０３が時刻ｔ０から時刻ｔ３にかけて流れているとする。番組期間Ａにおいては、時刻ｔ０から時刻ｔ１の間、キー局１００から送られてきた番組映像Ａ、番組音声Ａ及び番組データＡが送出される。このときデータ放送連携設備２０３では、キー局１００からのネットデータ放送番組ＴＳＡ−１を出力している。
【００２４】
時刻ｔ１においてローカル局２００にてローカル番組に切り替える運用を行う場合、番組期間Ｘにおいては、時刻ｔ１のタイミングで、データ放送連携設備２０３における出力を、ネットデータ放送番組ＴＳＡ−１からローカルデータ放送番組ＴＳＢ−１に切り替える。これによって時刻ｔ１から時刻ｔ２の間、ローカル局２００の設備から送出される番組映像Ｘ、番組音声Ｘ及び番組データＸが送出される。その後、時刻ｔ２のタイミングにて再度ネットデータ放送番組ＴＳＡ−１に切り替え、番組Ｃが開始される。番組期間Ｃにおいては、時刻ｔ２から時刻ｔ３の間、番組映像Ｃ、番組音声Ｃ及び番組データＣが送出される。この際、実際のテレビ受信機側の動作を説明すると、時刻ｔ０から時刻ｔ１まではネット配信される番組Ａの映像音声とその番組に関するデータがテレビ受信機２１２に表示され、その後、時刻ｔ１のタイミングでローカル番組Ｘに切り替わり、さらに時刻ｔ２のタイミングで再度ネット配信される番組Ｃに切り替わることになる。
【００２５】
ところで、ローカル局２００において、ローカル番組とネット番組を切り替える場合、キー局１００とローカル局２００で時刻が全く同一であれば良いが、前述のようにキー局１００とローカル局２００での制御時刻が僅かに異なることから、ローカル局２００を基準に考えると、キー局１００からのネットデータ放送番組ＴＳＡ−１における番組の切り替えタイミングが僅かにずれる場合がある。また、ネットワーク回線１５６による遅延等のためネットデータ放送番組ＴＳＡ−１における番組の切り替えタイミングがずれる場合もある。
【００２６】
図５は、キー局１００とローカル局２００におけるタイミングずれを表す図である。この図において、左側はキー局１００から出力されるネットデータ放送番組ＴＳＡ−１の内容とローカル局２００から出力されるローカルデータ放送番組ＴＳＢ−１の時間的関係を示すものである。枠内の左側の数字はデータイベントＩＤ（data_event_id）を表している。右側のＤＩＩ（Download Info Indication：以後ＤＩＩと略す）及びＤＤＢ（Download Data Block：以後ＤＤＢと略す）はセクションと呼ばれるデータ放送を送出するためのパケット列の集合であって、特にＤＤＢセクションはデータ放送コンテンツ自体を伝送するためのもの、ＤＩＩセクションは複数のＤＤＢセクションを組み合わせて１つのコンテンツとして構成させるための補助情報を伝送するためのものである。これら２つのセクションを組み合わせることで、データ放送のコンテンツを伝送するが、データ放送コンテンツの伝送の際は、ＤＩＩを先に送信し、その後ＤＤＢが必要な数、連続して送信され、その後も同じＤＩＩ及びＤＤＢが繰り返し送出される。これはカルーセル送出と呼ばれる方法であり、データ放送の送出規格として制定されているものである。
【００２７】
次に、ローカル局２００において、番組Ｘ（ローカル番組）から番組Ｃ（ネット番組）に番組を切り替える場合について説明する。まず、ネットからのネットデータ放送番組ＴＳＡ−１は、図５の左側のように当初番組Ｂが伝送されており、その後ローカル局２００における番組の変更時刻直後で番組Ｃに切り替わる。また、ローカル局２００からのローカルデータ放送番組ＴＳＢ−１は、当初番組Ｘが伝送されており、その後ローカル局２００における番組の変更時刻直前で空カルーセルと呼ばれるデータの送出に切り替わる（図中ではＤＩＩ（空）と表記）。空カルーセルとは、データ放送コンテンツが「何もない」ということを表すためのセクション情報であって、ＰＭＴ（Program Map Table）の整合性を取るため、通常、データ放送番組が無い時間帯についてはデータ放送送出設備２０２から出力される。
【００２８】
ローカル局２００における番組の変更時刻と、番組Ｂから番組Ｃへの変更時刻及び番組Ｘから空カルーセルへの変更時刻が異なるのは前述の理由による。このようなデータ放送番組ＴＳが入力されているとし、ローカル局２００の番組構成が番組Ｘ（ローカル番組）から番組Ｃ（ネット番組）に切り替わった際のデータ放送連携設備２０３の出力を表したものが図５の右側部分である。このように、当初番組ＸのデータであるＤＩＩ（Ｃ）とＤＤＢ（Ｃ）が順に送信されており、その後、短時間だけＤＩＩ（空）が出力される。そして、ローカル局２００における番組の変更時刻にてデータ放送連携設備２０３の入力側ＴＳが切り替わり、短時間だけ番組ＢのＤＤＢ（Ａ）が出力された後、番組ＣのＤＩＩ（Ｂ）及びＤＤＢ（Ｂ）が出力される。極短時間であっても前述のように不要なデータを送出すると、場合によっては本来の番組に関係ない番組が瞬間的にテレビ受信機２１２に表示される（所謂「チラ見え」と呼ばれる）可能性がある。また、この例では、データイベントＩＤが本来変更すべきタイミング以外で２回変更されており、これについてもコンテンツの記述によっては制作者の意図に反した表示をしてしまう可能性がある。
【００２９】
このような問題に対し、ローカル局２００のデータ放送連携設備２０３及び２２３は、図４に示すように、番組切り替えタイミングを含む前後の期間においてＴＳを監視する監視期間を有し、この監視期間内で入力ＴＳに含まれる空カルーセルを削除するとともに、監視期間内におけるデータイベントＩＤは変化させない構成を採っており、この構成により、データ放送連携設備２０３から出力されるＴＳ即ちローカルデータ放送番組ＴＳＣ−１において、データイベントＩＤはローカル局２００における番組の変更時刻で１回だけ更新される。これにより、各系統におけるデータイベントＩＤの更新回数が一定となることから、ネットデータ放送番組ＴＳＡ−１及びローカルデータ放送番組ＴＳＢ−１のデータイベントＩＤの変化点が監視期間内に入るように設定すれば、一旦系統間においてデータイベントＩＤを合わせることで、以降は系統間においてデータイベントＩＤが異なるという現象は発生しない。この際、監視期間はデータイベントＩＤを送出するＤＩＩの送出周期よりも長く設定しておけば良い。このとき、番組Ｂのチラ見えについては課題が残存することになるが、データ放送は前述のようにカルーセル方式で送出され、テレビ受信機がデータ放送コンテンツを受信するためにはＤＩＩと少なくとも１つのＤＤＢが必要である。従って、監視期間をＤＩＩの送出周期より少しだけ長い時間に設定しておけば、通常問題とはならない。なお、空カルーセルを削除する以外に、空カルーセルをＮＵＬＬ（ヌル）パケットに置き換えることも可能である。
【００３０】
このように本実施の形態のデータ放送システムによれば、ローカル局２００は、ネットデータ放送番組ＴＳＡ−１とローカルデータ放送番組ＴＳＢ−１（又はネットデータ放送番組ＴＳＡ−２とローカルデータ放送番組ＴＳＢ−２）の切り替えタイミングの前後にデータイベントＩＤの監視期間を有し、その監視期間内においてデータイベントＩＤの変化を検出した場合にはデータイベントＩＤを同一の値に付け替えるとともに、その監視期間内に空カルーセルが存在した場合にはその空カルーセルを削除又はＮＵＬＬパケットに置き換えるので、データ放送番組のＴＳを切り替えて放送する場合に、切り替えタイミングに差があってもチラ見えを最小限に抑えることができるとともに、放送波を送出する送出設備の系統間でデータイベントＩＤが異なる値になるのを防止することができる。
【００３１】
なお、本実施の形態では、二重化されたシステムで説明したが、それより多数の系統であっても同様の動作を行うことは言うまでもない。
【００３２】
また、本発明は上述の実施の形態に限定されず、当事者が本発明の範囲内で上述の実施の形態を変形可能なことは勿論である。
【産業上の利用可能性】
【００３３】
本発明は、データ放送番組のトランスポートストリームを切り替えて放送する場合に、切り替えタイミングに差があってもチラ見えを最小限に抑えることができるとともに、放送波を送出する送出設備の系統間でデータイベントＩＤが異なる値になるのを防止することができるといった効果を有し、データ放送番組のデータ放送システムなどへの適用が可能である。
【図面の簡単な説明】
【００３４】
【図１】本発明の一実施の形態に係るデータ放送システムの概略構成を示すブロック図
【図２】図１のデータ放送システムにおけるキー局の番組構成の一例を示す図
【図３】図１のデータ放送システムにおけるローカル局の番組構成の一例を示す図
【図４】図１のデータ放送システムにおけるＴＳ出力のセクション及びデータイベントＩＤを説明するための図
【図５】従来のＴＳ出力のセクション及びデータイベントＩＤを説明するための図
【符号の説明】
【００３５】
１０  データ放送システム
１００  キー局
１０１、２０１  データ放送製作設備
１０２、２０２、２２２  データ放送送出設備
１０３、２０５  放送波送出設備
１０４、２０６  放送アンテナ
１１０、２１０  視聴者宅
１１１、２１１  受信アンテナ
１１２、２１２  テレビ受信機
１５６  ネットワーク回線
２００  ローカル局
２０３、２２３  データ放送連携設備
２０４  切替装置
３０１  分配器
【図１】
2006333251.tif 000003
【図２】
2006333251.tif 000004
【図３】
2006333251.tif 000005
【図４】
2006333251.tif 000006
【図５】
2006333251.tif 000007